(57)【要約】【課題】コストを低減でき小型化を図る上で有利な撮像素子パッケージ、撮像素子モジュールおよびレンズ鏡筒並びに撮像装置を提供する。【解決手段】撮像素子パッケージ６０は、撮像素子チップ６２と、基板６４と、光学部材６６と、支持体６８と、固定絞り８０を含んで構成されている。支持体６８は、本体部７０と取り付け部７２とを備えている。固定絞り８０は支持体６８の内周部に一体的に設けられている。基板６４は、撮像面６２Ａが孔７００２の貫通方向の一端から他端に臨んだ状態で孔７００２の貫通方向の一端を閉塞するように本体部７０に取着されている。光学部材６６は、孔７００２の貫通方向の他端を閉塞するように本体部７０に取着されている。本体部７０の両端に基板６４と光学部材６６とが取着されことで撮像素子チップ６２が収容された空間が封止されたことになる。【選択図】図１３
2008211451.tif 000002
【特許請求の範囲】
【請求項１】
撮像面を有する撮像素子チップと、
前記撮像素子チップが実装された基板と、
光の透過を可能とした光学部材と、
撮像用の光路となる孔が貫通形成された本体部と、前記本体部に設けられ被取り付け箇所に取り付けられる取り付け部とを有する支持体を備え、
前記撮像面が前記孔の貫通方向の一端から他端に臨んだ状態で前記孔の貫通方向の一端を閉塞するように前記基板が前記本体部に取着され、
前記孔の貫通方向の他端を閉塞するように前記光学部材が前記本体部に取着され、
前記孔が貫通形成された前記本体部の内周部で前記孔の貫通方向の他端寄りの箇所に、前記光学部材を透過した光の面積を制限する固定絞りが前記内周部と一体的に形成されている、
ことを特徴とする撮像素子パッケージ。
【請求項２】
前記孔を形成する前記本体部の内周部は、前記孔の断面が前記孔の貫通方向の一端から他端に向かうにつれて次第に小さくなる傾斜面で形成され、
前記固定絞りは、前記傾斜面の前記他端寄りの端部で形成されている、
ことを特徴とする請求項１記載の撮像素子パッケージ。
【請求項３】
前記孔を形成する前記本体部の内周部は、前記孔の断面が前記孔の貫通方向の一端から他端に向かうにつれて次第に小さくなる傾斜面で形成され、
前記本体部と前記光学部材との取着は、接着剤による接着によりなされ、
前記傾斜面の前記他端寄りの端部に、前記孔の貫通方向と直交する方向に拡がり前記接着剤のうち前記光学部材の接着に寄与しなかった余分な接着剤を留める凹部が形成され、
前記固定絞りは、前記凹部に臨む前記傾斜面の端部で形成されている、
ことを特徴とする請求項１記載の撮像素子パッケージ。
【請求項４】
前記撮像面の中心を通り前記撮像面に直交する中心軸と前記孔の軸心とは合致しており、
前記孔を形成する前記本体部の内周部は、前記撮像素子に近接するに従って次第に前記撮像素子の中心軸から離間する傾斜面で形成され、
前記固定絞りは、前記傾斜面の前記他端寄りの端部で形成されている、
ことを特徴とする請求項１記載の撮像素子パッケージ。
【請求項５】
前記撮像面の中心を通り前記撮像面に直交する中心軸と前記孔の軸心とは合致しており、
前記孔を形成する前記本体部の内周部は、前記撮像素子に近接するに従って次第に前記撮像素子の中心軸から離間する傾斜面で形成され、
前記本体部と前記光学部材との取着は、接着剤による接着によりなされ、
前記傾斜面の前記他端寄りの端部に、前記孔の貫通方向と直交する方向に拡がり前記接着剤のうち前記光学部材の接着に寄与しなかった余分な接着剤を留める凹部が形成され、
前記固定絞りは、前記凹部に臨む前記傾斜面の端部で形成されている、
ことを特徴とする請求項１記載の撮像素子パッケージ。
【請求項６】
前記本体部の内周部の前記他端寄りの箇所で前記孔の周方向の全周にわたる箇所から前記孔の内側に環状に壁部が突出され、
前記壁部の内周部は、先端に至るにつれて断面が小さくなる突起として形成され、
前記固定絞りは、前記壁部及び突起により形成されている、
ことを特徴とする請求項１記載の撮像素子パッケージ。
【請求項７】
前記本体部の内周部は、前記孔の断面が前記貫通方向に沿って均一断面となるように前記孔の貫通方向と平行する方向に延在する壁面で形成され、
前記壁面の前記他端寄りの箇所で前記孔の周方向の全周にわたる箇所から前記孔の内側に環状に壁部が突出され、
前記壁部の内周部は、先端に至るにつれて断面が小さくなる突起として形成され、
前記固定絞りは、前記壁部及び突起により形成されている、
ことを特徴とする請求項１記載の撮像素子パッケージ。
【請求項８】
前記本体部と前記基板との取着は、接着剤による接着によりなされている、
ことを特徴とする請求項１記載の撮像素子パッケージ。
【請求項９】
前記本体部と前記光学部材との取着は、接着剤による接着によりなされている、
ことを特徴とする請求項１記載の撮像素子パッケージ。
【請求項１０】
前記基板はリフロー半田付けが可能な耐熱性を有する材料で形成されている、
ことを特徴とする請求項１記載の撮像素子パッケージ。
【請求項１１】
前記基板はセラミック基板で構成されている、
ことを特徴とする請求項１記載の撮像素子パッケージ。
【請求項１２】
前記光学部材はカバーガラス、光学フィルタ、レンズの何れかである、
ことを特徴とする請求項１記載の撮像素子パッケージ。
【請求項１３】
前記光学部材はカバーガラスと、該カバーガラスの表面に設けられた光学フィルタ機能を有するコート層とで構成されている、
ことを特徴とする請求項１記載の撮像素子パッケージ。
【請求項１４】
前記支持体はリフロー半田付けが可能な耐熱性を有しかつ加工性に優れる材料で形成されている、
ことを特徴とする請求項１記載の撮像素子パッケージ。
【請求項１５】
前記支持体は射出成形用エポキシ樹脂で形成されている、
ことを特徴とする請求項１記載の撮像素子パッケージ。
【請求項１６】
前記取り付け部は、前記孔の貫通方向と直交する方向に拡がる板状を呈し、
前記取り付け部には、前記孔の貫通方向と平行する方向に延在するねじ挿通孔が形成されている、
ことを特徴とする請求項１記載の撮像素子パッケージ。
【請求項１７】
前記取り付け部は、前記孔の貫通方向と直交する方向に拡がる板状を呈し、
前記取り付け部には、前記孔の貫通方向と平行する方向に延在するねじ挿通孔が形成され、
前記取り付け部には、前記孔の貫通方向と平行する方向に延在する位置決め孔が形成され、
前記孔の貫通方向の他端寄りの前記取り付け部の箇所に、前記孔の貫通方向と直交する面上を延在する位置決め面が形成されている、
ことを特徴とする請求項１記載の撮像素子パッケージ。
【請求項１８】
撮像素子パッケージと配線部材とを含む撮像素子モジュールであって、
前記撮像素子パッケージは、
撮像面を有する撮像素子チップと、
前記撮像素子チップが実装された基板と、
光の透過を可能とした光学部材と、
撮像用の光路となる孔が貫通形成された本体部と、前記本体部に設けられ被取り付け箇所に取り付けられる取り付け部とを有する支持体を備え、
前記撮像面が前記孔の貫通方向の一端から他端に臨んだ状態で前記孔の貫通方向の一端を閉塞するように前記基板が前記本体部に取着され、
前記孔の貫通方向の他端を閉塞するように前記光学部材が前記本体部に取着され、
前記孔が貫通形成された前記本体部の内周部で前記孔の貫通方向の他端寄りの箇所に、前記光学部材を透過した光の面積を制限する固定絞りが前記内周部と一体的に形成され、
前記基板は前記配線部材に電気的に接続されている、
ことを特徴とする撮像素子モジュール。
【請求項１９】
鏡筒と、撮像素子モジュールとを含むレンズ鏡筒であって、
前記撮像素子モジュールは、撮像素子パッケージと配線部材とを含み、
前記撮像素子パッケージは、
撮像面を有する撮像素子チップと、
前記撮像素子チップが実装された基板と、
光の透過を可能とした光学部材と、
撮像用の光路となる孔が貫通形成された本体部と、前記本体部に設けられ被取り付け箇所に取り付けられる取り付け部とを有する支持体を備え、
前記撮像面が前記孔の貫通方向の一端から他端に臨んだ状態で前記孔の貫通方向の一端を閉塞するように前記基板が前記本体部に取着され、
前記孔の貫通方向の他端を閉塞するように前記光学部材が前記本体部に取着され、
前記孔が貫通形成された前記本体部の内周部で前記孔の貫通方向の他端寄りの箇所に、前記光学部材を透過した光の面積を制限する固定絞りが前記内周部と一体的に形成され、
前記基板は前記配線部材に電気的に接続され、
前記光学部材が前記鏡筒の内部に臨むように前記取り付け部が前記鏡筒に取り付けられている、
ことを特徴とするレンズ鏡筒。
【請求項２０】
レンズ鏡筒を有する撮像装置であって、
前記レンズ鏡筒は、鏡筒と、撮像素子モジュールとを含み、
前記撮像素子モジュールは、撮像素子パッケージと配線部材とを含み、
前記撮像素子パッケージは、
撮像面を有する撮像素子チップと、
前記撮像素子チップが実装された基板と、
光の透過を可能とした光学部材と、
撮像用の光路となる孔が貫通形成された本体部と、前記本体部に設けられ被取り付け箇所に取り付けられる取り付け部とを有する支持体を備え、
前記撮像面が前記孔の貫通方向の一端から他端に臨んだ状態で前記孔の貫通方向の一端を閉塞するように前記基板が前記本体部に取着され、
前記孔の貫通方向の他端を閉塞するように前記光学部材が前記本体部に取着され、
前記孔が貫通形成された前記本体部の内周部で前記孔の貫通方向の他端寄りの箇所に、前記光学部材を透過した光の面積を制限する固定絞りが前記内周部と一体的に形成され、
前記基板は前記配線部材に電気的に接続され、
前記光学部材が前記鏡筒の内部に臨むように前記取り付け部が前記鏡筒に取り付けられている、
ことを特徴とする撮像装置。
【発明の詳細な説明】
【技術分野】
【０００１】
本発明は撮像素子パッケージ、撮像素子モジュールおよびレンズ鏡筒並びに撮像装置に関する。
【背景技術】
【０００２】
従来から、撮像素子チップが組み込まれた撮像素子ユニットが提供されている。
この撮像素子ユニットでは、パッケージの収容凹部に撮像素子チップを収容するとともに収容凹部をシールガラスで封止した撮像素子部を、配線部材であるフレキシブル基板に実装したのち、前記撮像素子部をホルダに組み付け、シールガラスの上にシールゴムを載置し、シールゴムの上に固定絞りを形成するための遮光シートを載置し、さらにこの遮光シートの上に光学部材を載置し、押さえ部材で光学部材をホルダに固定することで、シールガラスと光学素子との間の空間を封止する構造となっている（特許文献１参照）。
【特許文献１】特開２００５−１２４０９９号公報
【発明の開示】
【発明が解決しようとする課題】
【０００３】
このように従来の撮像素子ユニットでは、シールガラスとパッケージとによって撮像素子チップを封止するとともに、光学部材とシールゴムとシールガラスとによってシールガラスと光学素子との間の空間を封止し、さらに遮光シートを用いるなど、構造上の無駄があることから部品点数の削減、組み立て作業性の向上を図る上で不利があり、小型化を図る上でも不利がある。
本発明はこのような事情に鑑みなされたものであり、その目的は、コストを低減でき小型化を図る上で有利な撮像素子パッケージ、撮像素子モジュールおよびレンズ鏡筒並びに撮像装置を提供することにある。
【課題を解決するための手段】
【０００４】
上述の目的を達成するため、本発明の撮像素子パッケージは、撮像面を有する撮像素子チップと、前記撮像素子チップが実装された基板と、光の透過を可能とした光学部材と、撮像用の光路となる孔が貫通形成された本体部と、前記本体部に設けられ被取り付け箇所に取り付けられる取り付け部とを有する支持体を備え、前記撮像面が前記孔の貫通方向の一端から他端に臨んだ状態で前記孔の貫通方向の一端を閉塞するように前記基板が前記本体部に取着され、前記孔の貫通方向の他端を閉塞するように前記光学部材が前記本体部に取着され、前記孔が貫通形成された前記本体部の内周部で前記孔の貫通方向の他端寄りの箇所に、前記光学部材を透過した光の面積を制限する固定絞りが前記内周部と一体的に形成されていることを特徴とする。
また本発明は、撮像素子パッケージと配線部材とを含む撮像素子モジュールであって、前記撮像素子パッケージは、撮像面を有する撮像素子チップと、前記撮像素子チップが実装された基板と、光の透過を可能とした光学部材と、撮像用の光路となる孔が貫通形成された本体部と、前記本体部に設けられ被取り付け箇所に取り付けられる取り付け部とを有する支持体を備え、前記撮像面が前記孔の貫通方向の一端から他端に臨んだ状態で前記孔の貫通方向の一端を閉塞するように前記基板が前記本体部に取着され、前記孔の貫通方向の他端を閉塞するように前記光学部材が前記本体部に取着され、前記孔が貫通形成された前記本体部の内周部で前記孔の貫通方向の他端寄りの箇所に、前記光学部材を透過した光の面積を制限する固定絞りが前記内周部と一体的に形成され、前記基板は前記配線部材に電気的に接続されていることを特徴とする。
また本発明は、鏡筒と、撮像素子モジュールとを含むレンズ鏡筒であって、前記撮像素子モジュールは、撮像素子パッケージと配線部材とを含み、前記撮像素子パッケージは、撮像面を有する撮像素子チップと、前記撮像素子チップが実装された基板と、光の透過を可能とした光学部材と、撮像用の光路となる孔が貫通形成された本体部と、前記本体部に設けられ被取り付け箇所に取り付けられる取り付け部とを有する支持体を備え、前記撮像面が前記孔の貫通方向の一端から他端に臨んだ状態で前記孔の貫通方向の一端を閉塞するように前記基板が前記本体部に取着され、前記孔の貫通方向の他端を閉塞するように前記光学部材が前記本体部に取着され、前記孔が貫通形成された前記本体部の内周部で前記孔の貫通方向の他端寄りの箇所に、前記光学部材を透過した光の面積を制限する固定絞りが前記内周部と一体的に形成され、前記基板は前記配線部材に電気的に接続され、前記光学部材が前記鏡筒の内部に臨むように前記取り付け部が前記鏡筒に取り付けられていることを特徴とする。
また本発明は、レンズ鏡筒を有する撮像装置であって、前記レンズ鏡筒は、鏡筒と、撮像素子モジュールとを含み、前記撮像素子モジュールは、撮像素子パッケージと配線部材とを含み、前記撮像素子パッケージは、撮像面を有する撮像素子チップと、前記撮像素子チップが実装された基板と、光の透過を可能とした光学部材と、撮像用の光路となる孔が貫通形成された本体部と、前記本体部に設けられ被取り付け箇所に取り付けられる取り付け部とを有する支持体を備え、前記撮像面が前記孔の貫通方向の一端から他端に臨んだ状態で前記孔の貫通方向の一端を閉塞するように前記基板が前記本体部に取着され、前記孔の貫通方向の他端を閉塞するように前記光学部材が前記本体部に取着され、前記孔が貫通形成された前記本体部の内周部で前記孔の貫通方向の他端寄りの箇所に、前記光学部材を透過した光の面積を制限する固定絞りが前記内周部と一体的に形成され、前記基板は前記配線部材に電気的に接続され、前記光学部材が前記鏡筒の内部に臨むように前記取り付け部が前記鏡筒に取り付けられていることを特徴とする。
【発明の効果】
【０００５】
そのため、本発明によれば、撮像素子チップを封止するための従来のシールガラスおよびシールゴムが不要となるばかりでなく、シールガラスと光学部材との間の空間を省くことができ、かつ、従来必要であった遮光シートが不要となるため、部品コスト、組み立てコストの低減を図り、小型化を図る上で有利となる。
【発明を実施するための最良の形態】
【０００６】
次に本発明の実施の形態について図面を参照して説明する。
本実施の形態では、本発明に係る撮像素子パッケージおよび撮像素子モジュール並びにレンズ鏡筒が撮像装置に組み込まれている場合について説明する。
図１は本実施の形態の撮像装置１００を前方から見た斜視図、図２は本実施の形態の撮像装置１００を後方から見た斜視図、図３は本実施の形態の撮像装置１００を下方から見た斜視図、図４はメモリカード１３２およびバッテリー１３８の収容状態を説明する説明図、図５は撮像装置１００の制御系を示すブロック図である。
図１、図２に示すように、撮像装置１００はデジタルスチルカメラである。
撮像装置１００は、外装を構成する矩形板状のケース１０２を有し、ケース１０２は、前ケース１０２Ａと後ケース１０２Ｂとが合わせられて構成されている。
前ケース１０２Ａによりケース１０２の前面が構成され、後ケース１０２Ｂによりケース１０２の後面が構成されている。
なお、本明細書において、前方とは被写体側をいい、後方とはその反対側をいい、左右は撮像装置１００を前方から見た状態でいうものとする。
ケース１０２の右側部には、図中二点鎖線で示すように、レンズ鏡筒１０が組み込まれており、レンズ鏡筒１０には、対物レンズ１４と、本発明に係る撮像素子パッケージ６０（図６参照）と、対物レンズ１４で捉えた被写体像を撮像素子パッケージ６０に導く光学系１０４などが設けられている。撮像素子パッケージ６０は後述する撮像素子チップ６２（図５参照）を含んで構成されている。
対物レンズ１４は前ケース１０２Ａに設けられたレンズ窓１０３を介してケース１０２前方に臨んで配置されている。
【０００７】
ケース１０２の前面右寄りの箇所には、撮影補助光を出射するフラッシュ１０８、セルフタイマーランプ１１０などが設けられている。
ケース１０２の前面にはカバー１１２が上下にスライド可能に設けられ、このカバー１１２は、図１に示すようにレンズ窓１０３、フラッシュ１０８、セルフタイマーランプ１１０を前方に露出させる下限位置と、これらレンズ窓１０３、フラッシュ１０８、セルフタイマーランプ１１０を覆う上限位置とにスライドされる。
ケース１０２の上面の左寄り箇所には、シャッタボタン１１４、電源ボタン１１６などが設けられている。
ケース１０２の後面には静止画および動画などの画像や文字や記号などが表示されるディスプレイ１１８（液晶表示器）、撮影光学系１０４のズーミング動作を行なわせるためのズームスイッチ１２０、各種操作を行なうための十字スイッチ１２２および複数の操作ボタン１２４が設けられている。
ケース１０２の左側面には、撮像装置１００を静止画撮影モード、動画撮影モード、再生・編集モードなどに切り替えるためのモードスイッチ１２６が設けられている。
図３、図４に示すように、ケース１０２の下面には、静止画あるいは動画などの画像などを記録するためのメモリカード１３２を装脱可能に収容するメモリ収容室１０２Ａと、撮像装置１００の電源を構成するバッテリー１３８を装脱可能に収容するバッテリー収容室１０２Ｂとがケース１０２の前後方向（厚さ方向）に並べて設けられている。これらメモリ収容室１０２Ａ、バッテリー収容室１０２Ｂはケース１０２の下面にヒンジを介して連結された開閉蓋１０２Ｃによって開閉される。
【０００８】
図５に示すように、撮像素子チップ６２は、光学系１０４によって結像された被写体像を撮像するＣＣＤやＣＭＯＳセンサなどで構成されている。
撮像素子チップ６２で撮像された像は撮像信号として画像処理部１３０に出力され、画像処理部１３０ではこの撮像信号に基づいて静止画あるいは動画の画像データが生成され、メモリカード（記憶媒体）１３２に記録される。また、前記画像データは表示処理部１３４によりディスプレイ１１８に表示される。
さらに、撮像装置１００は、シャッタボタン１１４、十字スイッチ１２２、操作ボタン１２４、モードスイッチ１２６の操作に応じて、画像処理部１３０、表示処理部１３４を制御するＣＰＵなどを含む制御部１３６を備えている。
【０００９】
図６はレンズ鏡筒１０を斜め前方から見た斜視図、図７はレンズ鏡筒１０を斜め後方から見た斜視図、図８はレンズ鏡筒１０の一部の構成を示す分解斜視図、図９はレンズ鏡筒１０の残りの構成を示す分解斜視図、図１０は図６のＸＸ線断面図、図１１は図６のＹＹ線断面図である。
【００１０】
図６乃至図９に示すように、レンズ鏡筒１０は、鏡筒１２と、対物レンズ１４と、撮像素子パッケージ６０と、光学系１０４とを含んで構成されている。
本実施の形態では、光学系１０４は、プリズム１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを備えている。
さらに、ズーム用可動レンズ群１８を移動させる駆動手段３２と、フォーカス用可動レンズ群２０を移動させる駆動手段３４とが設けられている。
【００１１】
図６、図７に示すように、鏡筒１２は、全体として幅および長さ並びに厚さを有する平板形状を呈しており、対物レンズ１４と撮像素子パッケージ６０と光学系１０４とは鏡筒１２の幅方向の中央部で鏡筒１２の長さ方向に沿って並べられて配置されている。
鏡筒１２は、長さ方向において分割された第１鏡筒分割体１２０２および第２鏡筒分割体１２０４と、これら２つの鏡筒分割体１２０２，１２０４の間に挟まれる第３鏡筒分割体１２０６とで構成され、鏡筒１２の長手方向の一方の半部に第１鏡筒分割体１２０２が位置し、鏡筒１２の長手方向方の他方の半部に第２鏡筒分割体１２０４が位置し、これら第１鏡筒分割体１２０２および第２鏡筒分割体１２０４の間に第３鏡筒分割体１２０８が介在されている。
【００１２】
図８、図１０、図１１に示すように、第１鏡筒分割体１２０２の内部には、下面に開放状の部品収容空間１２０２Ａが設けられており、対物レンズ１４はその前面側にレンズ押え１４０２が位置し後面側に遮光枠１４０４が位置した状態で、第１鏡筒分割体１２０２の前面の上部でかつ幅方向の中央部に取着されている。
プリズム１６は、対物レンズ１４で捉えた像を下部に向けて（撮像素子パッケージ６０側に）反射させるもので本実施の形態ではプリズムが用いられている。プリズム１６は、部品収容空間１２０２Ａで対物レンズ１４に臨む箇所に配置されている。
第１の固定レンズ群２２とズーム用可動レンズ群１８とは、部品収容空間１２０２Ａ内でプリズム１６の下方に配置されている。
第１の固定レンズ群２２は、第１鏡筒分割体１２０２の取り付け部に組み込まれるレンズ２２０２と、このレンズ２２０２を前記取り付け部に固定させる押え部材２２０４（遮光枠を兼ねる）とで構成されている。
【００１３】
図８に示すように、ズーム用可動レンズ群１８は、第１のズームレンズ１８０２と、互いに貼り合わされた第２、第３のズームレンズ１８０４、１８０５と、これら第１、第２、第３のズームレンズ１８０２、１８０４、１８０５の外周部をカシメにより支持したズーム用レンズ枠１８０６とを有している。
ズーム用レンズ枠１８０６は、第１、第２、第３のズームレンズ１８０２、１８０４、１８０５の周囲に位置しこれら第１、第２、第３のズームレンズ１８０２、１８０４、１８０５を保持する保持部１８１０と、この保持部１８１０から部品収容空間１２０２Ａ内の幅方向に延在する延在部１８１２とを有している。
延在部１８１２には、ロッド挿通孔１８１４が設けられ、また、鏡筒１２の長手方向において互いに対向するフランジ１８１６、１８１６が設けられ、これらフランジ１８１６、１８１６には、軸３６０２、３６０２を介して雌ねじ３６０４を有する雌ねじ部材３６が鏡筒１２の長手方向に移動不能に結合される。
また、延在部１８１２とは反対側に位置する保持部１８１０の箇所に係合溝１８１８が形成されている。
【００１４】
ロッド挿通孔１８１４には、第１鏡筒分割体１２０２の長さ方向に延在する金属製のメインガイド軸３８が滑動可能に挿通されている。
このメインガイド軸３８はその長さ方向の両端が第１鏡筒分割体１２０２の上面を構成する壁部と、第３鏡筒分割体１２０６の壁部とで支持されている。
メインガイド軸３８は第１、第２、第３のズームレンズ１８０２、１８０４、１８０５の光軸と平行して延在している。したがって、メインガイド軸３８はズーム用可動レンズ群１８を該ズーム用可動レンズ群１８の光軸方向に案内している。
係合溝１８１８には、メインガイド軸３８と平行方向に延在するサブガイド軸４０（図１０参照）が滑動可能に挿通されている。したがって、前記サブガイド軸はズーム用レンズ１８がメインガイド軸３８の回りに回転することを阻止している。
ズーム用可動レンズ群１８用の案内機構２８は、これらメインガイド軸３８とサブガイド軸４０によって構成されている。
【００１５】
図８に示すように、ズーム用可動レンズ群１８を移動させる駆動手段３２は、鏡筒１２の長さ方向に延在するホルダ３２０２と、ホルダ３２０２の上部に設けられたモータ３２０４と、ホルダ３２０２に沿って延在しモータ３２０４により回転駆動される雄ねじ部材３２０６とを有している。
ホルダ３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の雌ねじ３６０４に螺合され、したがってモータ３２０４の正逆転によりズーム用可動レンズ群１８はメインガイド軸３８およびサブガイド軸４０に案内されつつそれらの光軸方向に沿って往復移動され、ズーム動作がなされる。
【００１６】
図８に示すように、第３鏡筒分割体１２０６は、部品収容空間１２０２Ａ内に臨む内部分１２０６Ａと、部品収容空間１２０２Ａ外に位置する外部分１２０６Ｂとを有している。
第２の固定レンズ群２４は、その光軸をズーム用可動レンズ群１８の光軸と一致させて内部分１２０６Ａに取着され、また、第２固定レンズ２４の後面にアイリス（絞り）４２が配置されている。このアイリス４２は、第３鏡筒分割体１２０６の外部分１２０６Ｂに取着された駆動部４４により開閉される。
【００１７】
図９、図１１に示すように、第２鏡筒分割体１２０４の内部には、本実施の形態では、上下に開放された部品収容空間１２０４Ａが形成されており、第２鏡筒分割体１２０４の下部に撮像素子パッケージ６０が取着されることでこの部品収容空間１２０４Ａの下端は閉塞されている。
フォーカス用可動レンズ群２０と第３の固定レンズ群２６は、部品収容空間１２０４Ａ内で第２鏡筒分割体１２０４の幅方向中央に位置する箇所に配置されている。
【００１８】
図９に示すように、フォーカス用可動レンズ群２０は、互いに貼り合わされた第１、第２のフォーカスレンズ２００２、２００４と、これら第１、第２のフォーカスレンズ２００２、２００４を支持するフォーカス用レンズ枠２００６とを有している。
フォーカス用レンズ枠２００６は、第１、第２のフォーカスレンズ２００２、２００４の周囲に位置しこれら第１、第２のフォーカスレンズ２００２、２００４を保持する保持部２０１０と、この保持部２０１０から部品収容空間１２０４Ａ内の幅方向に延在する延在部２０１２とを有している。
延在部２０１２には、ロッド挿通孔２０１４が設けられ、また、鏡筒１２の長手方向において互いに対向するフランジ２０１６、２０１６が設けられ、これらフランジ２０１６、２０１６には、軸４８０２、４８０２を介して雌ねじ４８０４を有する雌ねじ部材４８が鏡筒１２の長手方向に移動不能に結合される。
また、延在部２０１２とは反対側に位置する保持部２０１０の箇所に係合溝２０１８が形成されている。
【００１９】
ロッド挿通孔２０１４には、第２鏡筒分割体１２０４の長さ方向に延在する金属製のメインガイド軸５０が滑動可能に挿通されている。このメインガイド軸５０はその長さ方向の両端が第３鏡筒分割体１２０６の壁部と、第２鏡筒分割体１２０４の下部に設けられた壁部とで支持されている。
メインガイド軸５０は第１、第２のフォーカスレンズ２００２、２００４の光軸と平行して延在している。したがって、メインガイド軸５０はフォーカス用可動レンズ群２０を該フォーカス用可動レンズ２８の光軸方向に案内している。
係合溝２０１８には、メインガイド軸５０と平行して延在するサブガイド軸５２（図１０参照）が滑動可能に挿通されている。したがって、サブガイド軸５２はフォーカス用レンズ２０がメインガイド軸５０の回りに回転することを阻止している。
フォーカス用可動レンズ群２０用の案内機構３０は、これらメインガイド軸５０とサブガイド軸５２によって構成されている。
【００２０】
図９に示すように、フォーカス用可動レンズ群２０を移動させる駆動手段３４は、鏡筒１２の長さ方向に延在するホルダ３４０２と、ホルダ３４０２の下部に設けられたモータ３４０４と、ホルダ３４０２に沿って延在しモータ３４０４により回転駆動される雄ねじ部材３４０６とを有している。
ホルダ３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の雌ねじ４８０４に螺合され、したがってモータ３４０４の正逆転によりフォーカス用可動レンズ群２０はメインガイド軸５０およびサブガイド軸５２に案内されつつそれらの光軸方向に沿って往復移動され、フォーカス動作がなされる。
第３の固定レンズ群２６は、フォーカス用可動レンズ群２０の下方の部品収容空間１２０４Ａ箇所に配置され、第２鏡筒分割体１２０４の取り付け部に組み込まれる第３の固定レンズ群２６０２と、この第３の固定レンズ群２６０２を前記取り付け部に固定させる押え部材２６０４とで構成されている。
【００２１】
なお、図１１に示すように、部品収容空間１２０４Ａに臨む第２鏡筒分割体１２０４の後面箇所で第２鏡筒分割体１２０４Ａの上端と第２の固定レンズ群２４との間の箇所に凹凸部１２０４Ｃが設けられている。
また、部品収容空間１２０４Ａに臨む第２鏡筒分割体１２０４の後面箇所で第３の固定レンズ群２６と撮像素子パッケージ６０との間の箇所には凹凸部１２０４Ｄが設けられている。
これらの凹凸部１２０４Ｃ、１２０４Ｄは、対物レンズ１４、プリズム１６、第１の固定レンズ群２２、ズーム用可動レンズ群１８、第２固定レンズ群２４、フォーカス用可動レンズ群２０を介して進入してきた光のうち、部品収容空間１２０４Ａに臨む第２鏡筒分割体１２０４の後面箇所に到達した光が該後面箇所で反射されることで、いわゆるフレアあるいはゴーストと呼ばれる反射光が発生し、この反射光が撮像素子パッケージ６０の撮像素子チップ６２の撮像面に到達して撮像素子チップ６２の撮像信号に対して悪影響を及ぼすことを防止するために設けられている。
【００２２】
図９に示すように、鏡筒１２の下部（第２鏡筒分割体１２４の下部）には撮像素子パッケージ６０を配設するための鏡筒側取り付け部１２０５が設けられている。
図１５に示すように、鏡筒側取り付け部１２０５には、撮像素子チップ６２を部品収容空間１２０４Ａに臨ませる開口１２０４Ｂが設けられ、この開口１２０４Ｂの周囲には、２つの雌ねじ１２１０と、２つの位置決めピン１２１２と、２つの雌ねじ１２１０の周囲の箇所と、それら雌ねじ１２１０と離れた箇所の合計３箇所に設けられ撮像用の光軸に沿った方向の位置決め用の位置決め面（基準面）１２１４とが形成されている。位置決め面１２１４は、開口１２０４Ｂの貫通方向と直交する面上を延在している。
【００２３】
次に、本発明の要旨である撮像素子パッケージ６０について詳細に説明する。
図１２は撮像素子パッケージ６０の分解斜視図、図１３は撮像素子パッケージ６０の断面図、図１４は撮像素子パッケージ６０の平面図、図１５は撮像素子パッケージ６０の鏡筒１２への取り付け説明図、図１６は撮像素子パッケージ６０の組み立て説明図である。
図１２、図１３に示すように、撮像素子パッケージ６０は、撮像素子チップ６２と、基板６４と、光学部材６６と、支持体６８と、固定絞り８０を含んで構成されている。
【００２４】
撮像素子チップ６２はいわゆるベアチップであり、矩形板状を呈している。
図１４に示すように、撮像素子チップ６２の厚さ方向の一方の面にはその中央に矩形状の撮像面６２Ａが形成され、撮像面６２Ａの周囲の矩形枠状の領域には、複数の電極パッド６２０２と、後述する位置決め用のアライメントマーク６２０４（基準点）とが設けられている。
【００２５】
基板６４は、撮像素子チップ６２に電気的に接続されるものである。
基板６４は、図１２、図１３に示すように、撮像素子チップ６２よりも一回り大きな輪郭を有する矩形板状を呈し、基板６４の厚さ方向の一方に位置する表面の中央に、撮像素子チップ６２の撮像面６２Ａと反対側に位置する背面がダイボンド接着剤などの接着剤によって接着され固定されている。
基板６４の表面には、撮像素子チップ６２の電極パッド６２０２に対応する箇所に不図示の撮像素子チップ接続用の電極パッドが設けられており、図１３に示すように、撮像素子チップ６２の電極パッド６２０２（図１４参照）と前記撮像素子チップ接続用の電極パッドとは金ワイヤ６５を介して電気的に接続されている。
また、基板６４の背面には、不図示の配線用の外部端子が設けられている。前記外部端子は基板６４の内部配線を介して前記撮像素子チップ接続用の電極パッドと電気的に接続されている。
前記配線用の電極パッドは、撮像素子チップ６２に対する信号の授受を行なう配線部材としてのフレキシブル基板７４に電気的に接続されている。なお、配線部材としてはフレキシブル基板７４の他、有機基板等の多層基板など従来公知のさまざまな配線基板が採用可能である。
本実施の形態では、前記撮像素子チップ接続用の電極パッドおよび前記配線用の外部端子は、タングステン配線上にニッケルメッキあるいは金メッキを施すことで形成されている。
本実施の形態では、後述するように、基板６４とフレキシブル基板７４とは、リフロー半田付けによって電気的に接続されており、基板６４は、リフロー半田付けが可能な耐熱性を有する材料で形成されている。
このような耐熱性を有する材料としては、例えば、多層高温焼成セラミック基板など従来公知のさまざまな材料が採用可能である。
【００２６】
光学部材６６は、光の透過を可能としたものであり、例えば、カバーガラスや、光学フィルタや、レンズなどが挙げられる。
本実施の形態では、光学部材６６として、透明なガラス材料で形成された矩形板状のカバーガラスの表面に光学フィルタ機能を有するコーティング膜（コート層）を形成したもので構成されている。
【００２７】
支持体６８は、本体部７０と取り付け部７２とを備えている。
支持体６８はリフロー半田付けが可能な耐熱性を有しかつ加工性に優れる（高精度に加工できる）材料で形成されている。
言い換えると、支持体６８としては、組立プロセスおよびリフローはんだ付け等の加熱処理によっても寸法変動の少ない材質が好ましく、かつ、加工精度が高く、成型性の良好な材質が好ましい。
また、支持体６８としては、後述するように、撮像素子チップ６２と、撮像素子チップ６２のアライメントマーク６２０４に対して位置決めされた支持体６８との位置関係を維持させることができる必要がある。
本実施の形態では、支持体６８は射出成形用エポキシ樹脂で形成されている。
射出成形用エポキシ樹脂は、高精度に金型成型が可能であり、光学的に必要な数μm単位の精度で加工することが可能である。
また、射出成形用エポキシ樹脂は、耐熱性にすぐれ、200℃近傍のリフローはんだ付け温度においても形状変化を起こすことなく初期の加工精度を維持することが可能であり、組立プロセスおよびリフローはんだ付けプロセスにおいて、撮像素子チップ６２のアライメントマーク６２０４に対して位置決めされた支持体６８の位置関係を維持させることができるものである。
なお、本実施の形態では、支持体６８として高精度射出成型用エポキシ材を用いたが、加工精度、変形等光学的な性能を満たすに満足するならば、液晶ポリマー等の耐熱性プラスチック材料を用いても同様の効果が期待できる。
【００２８】
本体部７０には、撮像用の光路となる孔７００２が貫通形成されている。
孔７００２は断面が矩形状を呈し、したがって、本体部７０は矩形枠状を呈している。
孔７００２を形成する本体部７０の内周部は、孔７００２の断面が貫通方向の一端から他端に向かうにつれて次第に小さくなる傾斜面７００４で形成されている。
また、本体部７０の内周部の他端には、すなわち、傾斜面７００４の前記他端寄りの端部に、孔７００２の貫通方向と直交する方向に拡がり、後述する光学部材６６の接着に寄与しなかった余分な接着剤を留める凹部７０１０が形成されている。
【００２９】
取り付け部７２は、撮像素子パッケージ６０が被取り付け箇所に取り付けられる箇所であり、本実施の形態では、被取り付け箇所は、撮像装置１００に組み込まれた鏡筒１２である。
図１３に示すように、取り付け部７２は、孔７００２の貫通方向の一端寄りの本体部７０の箇所に設けられている。
図１４に示すように、取り付け部７２は、本体部７０よりも大きな輪郭で孔７００２の貫通方向と直交する方向に拡がる矩形板状を呈している。
取り付け部７２には、２つのねじ挿通孔７２０２と２つの位置決め孔７２０４が形成されている。それら孔７２０２、７２０４は孔７００２の貫通方向と平行する方向に延在している。
前記貫通方向の他端寄りに位置する取り付け部７２の面で２つのねじ挿通孔７２０２の周囲の箇所と、それらねじ挿通孔７２０２と離れた箇所の合計３箇所に、撮像用の光軸に沿った方向の位置決め用の位置決め面（基準面）７２０６が形成されている。位置決め面７２０６は、孔７００２の貫通方向と直交する面上を延在している。
【００３０】
基板６４は、撮像面６２Ａが孔７００２の貫通方向の一端から他端に臨んだ状態で孔７００２の貫通方向の一端を閉塞するように本体部７０に取着されている。
本実施の形態では、熱硬化型接着剤により基板６４が本体部７０に接着されている。
光学部材６６は、孔７００２の貫通方向の他端を閉塞するように本体部７０に取着されている。
本実施の形態では、熱硬化型接着剤により光学部材６６が本体部７０に接着されている。
このように本体部７０の両端に基板６４と光学部材６６とが取着されことで撮像素子チップ６２が収容された空間が封止されたことになる。
そして、撮像面６２Ａの中心を通り撮像面６２Ａに直交する中心軸と孔７００２の軸心とは合致しており、孔７００２を形成する本体部７０の内周部は、撮像素子チップ６２に近接するに従って次第に前記中心軸から離間する傾斜面７００４で形成されていることになる。
【００３１】
固定絞り８０は、光学部材６６を透過した光の面積を制限するものであり、この固定絞り８０によって鏡筒１２内部の迷光が撮像素子チップ６２の撮像面６２Ａに入射されることが防止され、ゴーストの防止が図られている。
固定絞り８０は、孔７００２が貫通形成された本体部７０の内周部で孔７００２の貫通方向の他端寄りの箇所に、内周部と一体的に形成されている。
本実施の形態では、固定絞り８０は、凹部７０１０に臨む傾斜面７００４の端部で形成され、平面視した場合に矩形枠状を呈している。
【００３２】
なお、光学部材６６を透過した光の一部が本体部７０の孔７００２の内周面や撮像面６２Ａで反射することによって迷光が発生することが懸念される。
特に、本実施の形態のように、光学部材６６がカバーガラスの表面に光学フィルタ機能を有するコーティング膜（コート層）を形成したもので構成され、前記コーティング膜が赤外線をカットする機能を有するＩＲコートである場合、前記迷光が前記コーティング膜と前記カバーガラスとの界面で反射されて撮像面６２Ａに入射すると、赤いゴーストが発生することが懸念される。
この場合、光学部材６６（前記界面）に入射する迷光の入射角（光学部材６６の表面と直交する法線に対して迷光がなす角度）が小さいほど、前記迷光は前記界面を透過する成分が多くなり、したがって、前記界面で反射されて撮像面６２Ａに入射する迷光の光量が減少する。
一方、本実施の形態のように、孔７００２の内周面を傾斜面７００４とし、この傾斜面７００４が撮像面６２Ａと直交する仮想線となす角度を大きくするほど、撮像面６２Ａで反射されてから傾斜面７００４で反射された前記迷光が前記界面に入射する入射角が小さくなることが判明した。
本実施の形態では、傾斜面７００４が撮像面６２Ａと直交する仮想線となす角度を５度以上とすることで、前記赤いゴーストを抑制することが可能となった。
【００３３】
また、固定絞り８０は次のように構成することもできる。
図１７は固定絞り８０の変形例を示す撮像素子パッケージ６６の断面図、図１８は固定絞り８０の変形例を示す撮像素子パッケージ６６の斜視図である。
図１７、図１８に示すように、本体部７０の内周部は、孔７００２の断面が貫通方向に沿って均一断面となるように孔７００２の貫通方向と平行する方向に延在する壁面７０２０で形成されている。
壁面７０２０の他端寄りの箇所で孔７００２の周方向の全周にわたる箇所から孔７００２の内側に環状に壁部７０２２が突出されている。
壁部７０２２の内周部は、先端に至るにつれて断面が小さくなる突起７０２４として形成されている。
固定絞り８０は、壁部７０２２および突起７０２４により形成される。
この場合、壁部７０２２の内周部が先端に至るにつれて断面が小さくなる突起７０２４として形成されているので、突起７０２４の表面にあたった光は、孔７００２の貫通方向に対して傾斜した方向に、言い換えると、撮像面６２Ａと直交する仮想線に対して傾斜した方向に導かれるため、撮像面６２Ａに入射する迷光を抑制でき、ゴーストの発生を防止する上で有利となっている。
【００３４】
次に撮像素子パッケージ６０の組み立てについて説明する。
まず、基板６４に撮像素子チップ６２がダイボンド接着剤によって接着され、金ワイヤ６５によって撮像素子チップ６２と基板６４とが電気的に接続され、これにより基板６４に撮像素子チップ６２が実装される。
次に、図１６を参照して撮像素子チップ６２が実装された基板６４の支持体６８への取り付けについて説明する。
まず、この取り付けに用いる調整治具について説明する。
調整治具は、上部ヘッド２００と、定板２０２と、固定ピン２０４と、ＣＣＤカメラ２１０と、不図示の画像認識装置、不図示の搭載装置などを含んで構成されている。
上部ヘッド２００は、撮像素子チップ６２が実装された基板６４を、その上下を反転させた状態で、すなわち、下方に撮像素子チップ６２の撮像面６２Ａを臨ませて保持するものである。
上部ヘッド２００は、前記搭載装置によって、互いに直交するＸ軸、Ｙ軸、Ｚ軸に沿って移動され、かつ、それら３つの軸回りに回転されるように構成されている。
定板２０２は、上部ヘッド２００の下方に固定されて設けられ、平面度が保証されたものであり、Ｘ軸とＹ軸を含む平面に沿って平行に延在している。
固定ピン２０４は、定板２０２から上方に（Ｚ軸方向に）２つ突設されたものであり、支持体６８の２つの位置決め孔７２０４に挿通されることで支持体６８を、Ｘ軸、Ｙ軸、Ｚ軸のそれぞれの延在方向に対して移動不能に支持するものである。
ＣＣＤカメラ２１０は、固定ピン２０４に支持された支持体６８の孔７００２を介して撮像素子チップ６２の撮像面６２Ａを撮像可能に設けられている。
【００３５】
次に基板６４の支持体６８への取り付けについて説明する。
撮像素子チップ６２が実装された基板６４を上部ヘッド２００に固定する。
次に、支持体６８の位置決め孔７２０４に固定ピン２０４を嵌合させ、支持体６８を定板２０２に固定する。
このとき、支持体６８の傾きは、支持体６８の位置決め面７２０６で規定され、Ｘ軸、Ｙ軸、Ｚ軸の各軸を中心とする回転方向（回転角度θ方向）は位置決め孔７２０４で規定されている。
次に、支持体６８の本体部７０の一端に熱硬化型接着材２を塗布し、撮像面６２Ａのアライメントマーク６２０４（図１４参照）と位置決め孔７２０４とを、ＣＣＤカメラ２１０で撮影し、その撮影された画像を前記画像認識装置で認識し、その認識結果に基づいて前記搭載装置によって、上部ヘッド２００を、X軸方向と、Y軸方向と、Z軸を中心とする回転方向とにそれぞれ動かすことで、撮像素子チップ６２と支持体６８とのＸＹ平面内での位置決めを行う。
これにより、撮像素子チップ６２と支持体６８の位置決め孔７２０４とのＸＹ平面内での位置決めがなされる。
ＸＹ平面内での位置決めがなされたならば、前記画像認識装置および搭載装置を用いることで、X軸とZ軸がなす平面内でのRx調整、すなわち、Ｙ軸を中心とする回転方向の位置決めと、Y軸とZ軸がなす平面内でのRy調整、すなわち、Ｘ軸を中心とする回転方向の位置決めとを行う。
これにより撮像素子チップ６２の撮像面６２Ａと支持体６８の位置決め面７２０６とが平行をなすように位置決めがなされる。
すなわち、撮像面６２Ａの中心を通り撮像面６２Ａに直交する中心軸と孔７００２の軸心とが合致した状態となる。
次に、撮像素子チップ６２と支持体６８の相対的な位置関係を保持しながら、基板６４をＺ軸方向に移動させて基板６４の面と支持体６８の本体部７０の一端とを当て付け、図示しないヒーターを用いて熱硬化型接着剤２を加熱して硬化させる。
これにより、撮像素子チップ６２と支持体６８の位置決め孔７２０４および位置決め面７２０６との位置決めがなされた状態で、撮像素子チップ６２が実装された基板６４の支持体６８の本体部７０の一端への組み付けが完了する。
なお、本実施の形態では、支持体６８を前述した射出成形用エポキシ樹脂で形成することにより、X軸方向に±30μm、Y軸方向に±30μm、Z軸を中心とする回転方向θに±0.5°、X軸とZ軸がなす平面内でのRx調整で6′、Y軸とZ軸がなす平面内でのRy調整で6′の精度で工程能力指数1.5を超える高い実力で調整できることが確認された。
【００３６】
次に光学部材６６の支持体６８への取り付けについて説明する。
まず、支持体６８の本体部７０の孔７００２の軸方向の他端に、熱硬化型接着剤２を塗布する。
次いで、光学部材６６を本体部７０の他端に載置し、図示しないヒーターを用いて熱硬化型接着剤２を加熱して硬化させる。
これにより、光学部材６６の本体部７０の他端への組み付けが完了し、撮像素子パッケージ６０の組み立てが完了する。
なお、本実施の形態では、基板６４および光学部材６６の支持体６８への接着に熱硬化型接着剤２を用いた場合について説明したが、紫外線硬化型接着剤を用いてもよいことは無論である。
ただし、紫外線硬化型接着剤を用いた場合には紫外線を紫外線硬化型接着剤にまんべんなく照射するために多少時間を要するのに対し、熱硬化型接着剤２を用いた場合は、ヒーターを用いることで基板６４と支持体６８との間に介在された熱硬化型接着剤２をまんべんなく簡単かつ確実に加熱することができるため、熱硬化型接着剤２の硬化を短時間にかつ確実に行うことができ有利である。
【００３７】
次に撮像素子パッケージ６０とフレキシブル基板７４との組み付けについて説明する。
撮像素子パッケージ６０とフレキシブル基板７４の組み付けは、基板６４の背面の前記配線用の外部端子と、フレキシブル基板７４に設けられた配線用の端子とがリフロー半田付けによって電気的に接続されることでなされる。
このように撮像素子パッケージ６０にフレキシブル基板７４が組み付けられることで撮像素子モジュール７６が構成される。
【００３８】
次に、撮像素子モジュール７６の鏡筒１２への組み付けについて説明する。
図１５に示すように、鏡筒１２の開口１２０４Ｂに支持体６８の本体部７０を挿入し、鏡筒側取り付け部１２０５の各位置決めピン１２１２を取り付け部７２の各位置決め孔７２０４にそれぞれ挿通するとともに、鏡筒側取り付け部１２０５の各位置決め面（基準面）１２１４に取り付け部７２の各位置決め面（基準面）７２０６を当て付けることで鏡筒１２に対する撮像素子モジュール７６の位置決めがなされる。
この位置決めがなされた状態で、ねじＮを取り付け部７２の各ねじ挿通孔７２０２を介して各雌ねじ１２１０に締結する。
これにより、撮像素子パッケージ６０は光学部材６６を鏡筒１２の内部に向けて、すなわち、撮像面６２Ａを鏡筒１２内の光路の光軸上に位置させて鏡筒１２に取り付けられることになり、撮像素子モジュール７６の鏡筒１２への組み付けが完了する。
【００３９】
以上説明したように、本実施の形態では、撮像素子パッケージ６０を、撮像素子チップ６２と、撮像素子チップ６２が実装された基板６４と、光学部材６６と、支持体６８とで構成し、固定絞り８０を支持体６８の内周部に一体的に設けた。
したがって、従来の撮像素子ユニットなどに比較して部品点数の削減化および構成の簡素化を図れ、部品コスト、組立コストの低減を図るとともに、小型化を図る上で有利となる。
すなわち、従来の撮像素子ユニットでは、パッケージの収容凹部に撮像素子チップを収容するとともに収容凹部をシールガラスで封止した撮像素子部を、配線部材であるフレキシブル基板に実装したのち、前記撮像素子部をホルダに組み付け、シールガラスの上にシールゴムを載置し、シールゴムの上に固定絞りを形成するための遮光シートを載置し、さらにこの遮光シートの上に光学部材を載置し、押さえ部材で光学部材をホルダに固定することで、シールガラスと光学素子との間の空間を封止する構造であるため、部品点数が多く、組み立てコストも高いものとなっている。
これに対して、本実施の形態では、撮像面６２Ａが孔７００２の貫通方向の一端から他端に臨んだ状態で孔７００２の貫通方向の一端を閉塞するように基板６４を本体部７０に取着し、孔７００２の貫通方向の他端を閉塞するように光学部材６６を本体部７０に取着することで撮像素子チップ６２を封止しており、固定絞り８０が支持体６８の内周部に一体的に設けられているので、撮像素子チップを封止するためのシールガラスおよびシールゴムが不要となるばかりでなく、シールガラスと光学部材との間の空間を省くことができ、かつ、従来必要であった遮光シートが不要となるため、部品コスト、組み立てコストの低減を図り、小型化を図る上で有利となる。
さらに、従来は、撮像素子チップが収容された収容凹部をシールガラスで封止し、さらに、シールガラスに載置されるシールゴムの端部を光学部材で封止する２重の封止構造となっているため、パッケージの構造が複雑で撮影用光軸と平行な方向および撮影用光軸と直交する方向の双方における占有スペースを必要としており、部品コストが高く、小型化を図る上で不利があった。
これに対して、本実施の形態では、収容凹部を有する複雑な形状のパッケージの代わりに基板６４を用い、かつ、撮像素子チップを封止するシールガラスを光学部材６６で兼用できるため、部品コストの低減および撮影用光軸と平行な方向および撮影用光軸と直交する方向の双方における小型化を図る上で有利である。
【００４０】
また、本実施の形態では、支持体６８をリフロー半田付けが可能な耐熱性を有する材料で形成したので、撮像素子チップ６２が実装された基板６４と光学部材６６の双方を支持体６８に接着した状態で基板６４を配線部材としてのフレキシブル基板７４にリフロー半田付けで実装することができる。
したがって、リフロー半田付けによる高温が加わっても支持体６８が変形したりダメージを受けることがないので、支持体６８に対する撮像素子チップ６２（撮像面６２Ａ）の位置精度、言い換えると、鏡筒１２に対する撮像素子チップ６２の位置精度、すなわち、撮影用光軸に対する撮像素子チップ６２の位置精度を確保できることは無論のこと、撮像素子パッケージ６０および撮像素子モジュール７６の組み立て作業の簡素化を図る上で有利となる。
【００４１】
また、上述の構成では、撮像素子パッケージ６０を、撮像素子チップ６２と、撮像素子チップ６２が実装された基板６４と、光学部材６６と、支持体７８とで構成した。
したがって、従来の撮像素子ユニットなどに比較して部品点数の削減化および構成の簡素化を図れ、部品コスト、組立コストの低減を図るとともに、小型化を図る上で有利となる。
すなわち、従来の撮像素子ユニットでは、パッケージの収容凹部に撮像素子チップを収容するとともに収容凹部をシールガラスで封止した撮像素子部を、配線部材であるフレキシブル基板に実装したのち、前記撮像素子部をホルダに組み付け、シールガラスの上にシールゴムと光学部材とをこの順番で載置し、さらに、押さえ部材で光学部材をホルダに固定することで、シールガラスと光学素子との間の空間を封止する構造であるため、部品点数が多く、組み立てコストも高いものとなっている。
これに対して上述の構成では、撮像面６２Ａが孔７００２の貫通方向の一端から他端に臨んだ状態で孔７００２の貫通方向の一端を閉塞するように基板６４を本体部７０に取着し、孔７００２の貫通方向の他端を閉塞するように光学部材６６を本体部７０に取着することで撮像素子チップ６２を封止しているので、撮像素子チップを封止するためのシールガラスおよびシールゴムが不要となるばかりでなく、シールガラスと光学部材との間の空間を省くことができるため、部品コスト、組み立てコストの低減を図り、小型化を図る上で有利となる。
【００４２】
さらに、従来は、撮像素子チップが収容された収容凹部をシールガラスで封止し、さらに、シールガラスに載置されるシールゴムの端部を光学部材で封止する２重の封止構造となっているため、パッケージの構造が複雑で撮影用光軸と平行な方向および撮影用光軸と直交する方向の双方における占有スペースを必要としており、部品コストが高く、小型化を図る上で不利があった。
これに対して、上述の構成では、収容凹部を有する複雑な形状のパッケージの代わりに基板６４を用い、かつ、撮像素子チップを封止するシールガラスを光学部材６６で兼用できるため、部品コストの低減および撮影用光軸と平行な方向および撮影用光軸と直交する方向の双方における小型化を図る上で有利である。
【００４３】
また、上述の構成では、支持体６８をリフロー半田付けが可能な耐熱性を有する材料で形成したので、撮像素子チップ６２が実装された基板６４と光学部材６６の双方を支持体６８に接着した状態で基板６４を配線部材としてのフレキシブル基板７４にリフロー半田付けで実装することができる。
したがって、リフロー半田付けによる高温が加わっても支持体６８が変形したりダメージを受けることがないので、支持体６８に対する撮像素子チップ６２（撮像面６２Ａ）の位置精度、言い換えると、鏡筒１２に対する撮像素子チップ６２の位置精度、すなわち、撮影用光軸に対する撮像素子チップ６２の位置精度を確保できることは無論のこと、撮像素子パッケージ６０および撮像素子モジュール７６の組み立て作業の簡素化を図る上で有利となる。
【００４４】
なお、本実施の形態においては、撮像装置としてデジタルスチルカメラを例示したが、本発明はビデオカメラやテレビカメラなどさまざまな撮像装置に無論適用可能である。
【図面の簡単な説明】
【００４５】
【図１】本実施の形態の撮像装置１００を前方から見た斜視図である。
【図２】本実施の形態の撮像装置１００を後方から見た斜視図である。
【図３】本実施の形態の撮像装置１００を下方から見た斜視図である。
【図４】メモリカード１３２およびバッテリー１３８の収容状態を説明する説明図である。
【図５】撮像装置１００の制御系を示すブロック図である。
【図６】レンズ鏡筒１０を斜め前方から見た斜視図である。
【図７】レンズ鏡筒１０を斜め後方から見た斜視図である。
【図８】レンズ鏡筒１０の一部の構成を示す分解斜視図である。
【図９】レンズ鏡筒１０の残りの構成を示す分解斜視図である。
【図１０】図６のＸＸ線断面図である。
【図１１】図６のＹＹ線断面図である。
【図１２】撮像素子パッケージ６０の分解斜視図である。
【図１３】撮像素子パッケージ６０の断面図である。
【図１４】撮像素子パッケージ６０の平面図である。
【図１５】撮像素子パッケージ６０の鏡筒１２への取り付け説明図である。
【図１６】撮像素子パッケージ６０の組み立て説明図である。
【図１７】固定絞り８０の変形例を示す撮像素子パッケージ６６の断面図である。
【図１８】固定絞り８０の変形例を示す撮像素子パッケージ６６の斜視図である。
【符号の説明】
【００４６】
１０……レンズ鏡筒、６０……撮像素子パッケージ、６２……撮像素子チップ、６２Ａ……撮像面、６４……基板、６６……光学部材、６８……支持体、７０……本体部、７００２……孔、７２……取り付け部、７６……撮像素子モジュール、８０……固定絞り、１００……撮像装置。
【図１】
2008211451.tif 000003
【図２】
2008211451.tif 000004
【図３】
2008211451.tif 000005
【図４】
2008211451.tif 000006
【図５】
2008211451.tif 000007
【図６】
2008211451.tif 000008
【図７】
2008211451.tif 000009
【図８】
2008211451.tif 000010
【図９】
2008211451.tif 000011
【図１０】
2008211451.tif 000012
【図１１】
2008211451.tif 000013
【図１２】
2008211451.tif 000014
【図１３】
2008211451.tif 000015
【図１４】
2008211451.tif 000016
【図１５】
2008211451.tif 000017
【図１６】
2008211451.tif 000018
【図１７】
2008211451.tif 000019
【図１８】
2008211451.tif 000020